(57)【要約】【課題】  ヒンジ付キャップを有するキーケースを備え、収納されるキーが脱落防止用ストラップの一端に結び付けられた施錠確認支援装置において、前記ストラップが前記ヒンジ付キャップの開閉に支障を来たさないようにして、施錠確認支援装置の操作性を高めること。【解決手段】  ヒンジ付キャップに小穴を開け、携帯型防犯ブザー等の抜け止め体を一端に結び付けたストラップを前記小穴を貫通させ、前記ストラップの他端をキーのキーヘッドに結び付けた。【選択図】    図１
2006207256.tif 000002
【特許請求の範囲】
【請求項１】
ヒンジ付キャップを有するキーケースと電子時計を備え、前記キーケースへのキーの出し入れを検出して施錠時刻を記憶・表示する施錠確認支援装置において、前記ヒンジ付キャップにストラップ用の小穴を開け、抜け止め体を一端に結び付けたストラップを前記小穴を貫通させ、前記ストラップの他端を前記キーのキーヘッドに結び付けたことを特徴とする施錠確認支援装置。
【請求項２】
前記抜け止め体は携帯型防犯ブザーであることを特徴とする請求項１の施錠確認支援装置。
【発明の詳細な説明】
【技術分野】
【０００１】
本発明は、ヒンジ付キャップを有するキーケースと電子時計を備え、前記キーケースへのキーの出し入れを検出して施錠時刻を記憶・表示する施錠確認支援装置に関する。
【背景技術】
【０００２】
外出した際に、施錠したか否か不安感に襲われることは誰もが体験することであろう。外出直後であれば引き返して施錠を再確認する人も少なくない。中には近所や親類に電話で依頼し安全を再確認して貰う心配性の人もいる。特に独り暮らしのお年寄りの多くが、しばしばこのような行為をしているようである。また、ガス、電気、戸締まり等の家庭内の安全点検確認にまつわる不安感についても、同様である。
【０００３】
そこで、このような不安を解消する施錠確認支援装置が特開２００１−２８８９３９号公報（特許文献１）と特開２００４−３３２４８１号公報（特許文献２）に開示されている。この施錠確認支援装置は、押え部材によってキー本体をキー収納室の壁面に押圧してキーを保持するキーケースと、前記キーケースからキーが取り出されたこと又は前記キーケースにキーが戻されたことを検出するキー出し入れセンサと、前記キー出し入れセンサの出力信号が発生した時刻を施錠時刻として記憶し表示する電子時計とから構成されている。
【０００４】
上述の特許出願に基づいて有限会社ラッキー・チェッキーが開発した携帯型施錠確認支援装置は、楽キーケース（商標）の商品名で市販されている。この装置は、図２の携帯時の正面図（Ａ）、ヒンジ付キャップを開いた状態の正面図（Ｂ）、キーを取り出した状態の正面図（Ｃ）、ストラップを除いたキーケースの背面図（Ｄ）に示す如く、キーケース本体１１とヒンジ付キャップ１２とからなるキーケースの中に、キー２１を収納して携帯する装置である。
【０００５】
キーケース本体１１には、時刻や防災・防犯メッセージやマークが表示される液晶表示パネル１３、時刻合わせや時刻確認等の操作ボタン１４、電子ブザーの放音口１５が設けられている。また、キーケース本体１１にはキャップ１２のヒンジの反対側にフック１６を備えた係止部材が取り付けられている。そして、キャップ１２の対応する箇所には係止用凹部が設けられており、キャップ１２を閉じたときに前記係止用凹部にフック１６が係合し、これによってキャップ１２は閉じた状態を保持される。更に、キャップ１２は図示しないバネによって開方向に付勢されている。前記係止用部材は弾性部材であって、図示しない開閉ボタンによって押圧されると撓み、フック１６を前記係止用凹部から外す。すると、キャップ１２は前記バネによって自動的に開く。
【０００６】
ところで、キー２１はストラップ１９によってキーケース本体１１に結び付けられている。即ち、キー２１のキーヘッド２１ａは、キーケース本体１１の側面に形成された穴あき突起１７に一端が結び付けられたストラップ１９の他端に結び付けられている。このように、キー２１がキーケース本体１１にストラップで結び付けられているので、施錠時や解錠時にキー２１が施錠確認支援装置から脱落することがない。
【０００７】
この従来の施錠確認支援装置において、ヒンジ付キャップ１２を閉じたときに、ストラップ１９はヒンジ付キャップ１２とキーケース本体１１との間に挟まれるので、ヒンジ付キャップ１２をスムーズに開くことができないし、閉じるときには或る程度の力が必要になる。そこで、ストラップを除いたキーケースの背面図（Ｄ）に示す如く、ヒンジ付キャップ１２の背面側の側壁にストラップ用の切欠き１８が設けられている。これによって、ヒンジ付キャップ１２を開くことが多少は円滑になった。
【０００８】
しかしながら、ストラップ１９を切欠き１８の位置に合わせてヒンジ付キャップ１２を閉じることは、利用者にとって結構面倒である。しばしばストラップ１９が切欠き１８の位置に合わない状態で閉じることになり、その結果、ストラップ１９がヒンジ付キャップ１２の端面とキーケース本体１１の開口部の端面との間に挟まれるという好ましくない事態が発生した。要するに、ストラップ１９でキー２１がキーケース本体１１に結び付けられている従来の施錠確認支援装置においては、ストラップ１９がヒンジ付キャップ１２の円滑な開閉を妨げているという問題がある。切欠き１８を大きくすれば、この問題は或る程度解消するが、このようなデザインは商品価値を落とすことになり採用できないものである。
【０００９】
ところで、施錠確認支援装置の利用者は身の回りの安全は自分で守るという意識の高い人達であるので、防犯ブザーや小型ライトなどの携帯型防犯装置を施錠確認支援装置と共に携帯することになる。しかしながら、これらの防犯装置は携帯し忘れることが少なくない。そこで、携帯し忘れることがない施錠確認装置と防犯ブザーや小型ライトなどの防犯装置をもう１本のストラップで結んで携帯する人がいる。即ち、キーケース本体１１の穴あき突起１７にもう１本のストラップで防犯ブザーを結びつけるのである。ところが、キー用のストラップ１９の他に防犯ブザー用のストラップが加わったので、施錠確認支援装置は極めて使い勝手が悪い。キー用ストラップと防犯ブザー用ストラップの２本のストラップがキーケース本体の側面に結び付けられているので、これらのストラップが邪魔になり、携帯し難いだけでなく、キーの出し入れが円滑に行かないし、施錠確認支援装置の操作にも支障をきたす。このため、使い勝手を悪くしないで、携帯型防犯装置と施錠確認支援装置を結合して携帯できるようにすることが求められている。換言すれば、施錠確認支援装置の防犯性を高めることが求められているのである。
【００１０】
【特許文献１】特開２００１−２８８９３９号公報
【特許文献２】特開２００４−３３２４８１号公報
【発明の開示】
【発明が解決しようとする課題】
【００１１】
解決しようとする課題は、ヒンジ付キャップを有するキーケースを備え、収納されるキーが脱落防止用ストラップの一端に結び付けられた施錠確認支援装置において、前記ストラップが前記ヒンジ付キャップの開閉に支障を来たさないようにすると共に、施錠確認支援装置の操作性を高めることである。
【００１２】
解決しようとする第２の課題は、施錠確認支援装置の防犯装置としての価値を高めることである。
【課題を解決するための手段】
【００１３】
上記課題を解決するために、ヒンジ付キャップを有するキーケースと電子時計を備え、前記キーケースへのキーの出し入れを検出して施錠時刻を記憶・表示する施錠確認支援装置において、前記ヒンジ付キャップに小穴を開け、抜け止め体を一端に結び付けたストラップを前記小穴を貫通させ、前記ストラップの他端を前記キーのキーヘッドに結び付けた。
【発明の効果】
【００１４】
本発明により、ヒンジ付キャップを有するキーケースから、キーが脱落することが防止されると共に、前記ストラップが前記ヒンジ付キャップの開閉に支障を来たすことがなくなっただけでなく、前記ストラップに結び付けられた抜け止め体とあいまって前記ヒンジ付キャップを非常に円滑に閉じることが出来るようになり、施錠確認支援装置の操作性が高まった。
【００１５】
また、前記ストラップの他端に結び付けられる抜け止め体を携帯型防犯ブザーや小型ライトとすることによって、施錠確認支援装置とこれら装置とで防犯セットを構成するので、施錠確認支援装置の防犯装置としての価値が高まった。即ち、施錠確認支援装置の利用者は、外出時の防犯防災チェックを行うと共に、防犯ブザーを携帯し忘れることがなくなったので、施錠確認支援装置の利便性が高まった。
【発明を実施するための最良の形態】
【００１６】
ヒンジ付キャップを有するキーケースと電子時計を備え、前記キーケースへのキーの出し入れを検出して施錠時刻を記憶・表示する施錠確認支援装置において、前記ヒンジ付キャップにストラップ用の小穴を開け、携帯型防犯ブザー等の抜け止め体を一端に結び付けたストラップを前記小穴を貫通させ、前記ストラップの他端を前記キーのキーヘッドに結び付けた。
【実施例１】
【００１７】
本発明の実施例１の施錠確認支援装置は、図１の携帯時の正面図（Ａ）、ヒンジ付キャップを開いた状態の正面図（Ｂ）、キー本体を取り出した状態の正面図（Ｃ）及びキーケースの右側面図（Ｄ）に示す如く、ヒンジ付キャップ１２に設けたストラップ用の小穴２０を貫通したストラップ１９の一端に携帯型防犯ブザー２２を結び付け、他端をキー２１のキーヘッド２１ａに結び付けたことを特徴とするものである。
【００１８】
施錠確認支援装置は、特開２００１−２８８９３９号公報（特許文献１）と特開２００４−３３２４８１号公報（特許文献２）に開示されている如きもので、押え部材によってキー本体をキー収納室の壁面に押圧してキーを保持するキーケースと、前記キーケースからキーが取り出されたこと又は前記キーケースにキーが戻されたことを検出するキー出し入れセンサと、前記キー出し入れセンサの出力信号が発生した時刻を施錠時刻として記憶し表示する電子時計とから構成されている。
【００１９】
利用者が前記キーケースからキーを取り出すと、前記キー出し入れセンサはキー取り出し信号を発生する。すると、前記制御部は前記表示部に防災・防犯メッセージやマークを表示し、利用者に火の始末・戸締まりの確認を促す。施錠後に利用者がキーをキーケースに戻すと、前記キー出し入れセンサはキー戻し信号を発生する。すると、前記制御部は前記計時部が計時している現在時刻を施錠時刻として前記記憶部に記憶し前記表示部に表示させる。この施錠時刻の表示を見て、利用者は施錠したことと防災・防犯の確認をしたことを、自分の脳裏に明瞭に記憶することができる。前記記憶部に記憶されている施錠時刻は、確認ボタンを操作すると前記表示部に再表示される。これによって、利用者は施錠したことと防災・防犯の確認をしたことを再確認することができる。
【００２０】
図１において、キーケース本体１１には、時刻や防災・防犯メッセージやマークが表示される液晶表示パネル１３、時刻合わせや時刻確認等の操作ボタン１４、電子ブザーの放音口１５が設けられている。また、キーケース本体１１にはキャップ１２のヒンジの反対側にフック１６を備えた係止部材が取り付けられている。そして、キャップ１２の対応する箇所には係止用凹部が設けられており、キャップ１２を閉じたときに前記係止用凹部にフック１６が係合し、これによってキャップ１２は閉じた状態を保持される。更に、キャップ１２は図示しないバネによって開く方向に付勢されている。前記係止用部材は弾性部材であって、図示しない開閉ボタンによって押圧されると撓み、フック１６を前記係止用凹部から外す。すると、キャップ１２は前記バネによって自動的に開く。
【００２１】
本発明において、キーケースのヒンジ付キャップ１２の頂点付近にはストラップ用の小穴２０が開けられ、この小穴２０をストラップ１９が貫通している。そして、ストラップ１９の一端は携帯型防犯ブザー２２に結び付けられており、且つその他端はキー２１のキーヘッド２１ａに結び付けられている。このような構成によって、ただ１本のストラップで、キー２１と施錠確認支援装置と防犯ブザー２２の３種類の物品が有機的に結び付けられた。
【００２２】
上述の如き構成の施錠確認支援装置の利用者は、施錠時には図示しない開閉ボタンを押す。すると、フック１６が前記係止用凹部から外れ、ヒンジ付キャップ１２は前記バネによって自動的に開く。この場合、ヒンジ付キャップ１２のストラップ用小穴２０を貫通しているストラップ１９は、ヒンジ付キャップ１２が開くのを何ら邪魔しないので、ヒンジ付キャップ１２は円滑に開く。そして利用者は、左手にキーケース本体１１を握り、右手でキー２１を握って施錠を行う。ストラップ１９の一端は携帯型防犯ブザー２２に結び付けられており、且つその他端はキー２１のキーヘッド２１ａに結び付けられているので、施錠時にキー２１を握った手には防犯ブザー２２の重みが伝わる。この防犯ブザー２２の重みによって、ストラップ１９は垂直に伸びる。このため、利用者はキー２１の位置、即ちキーケースからの距離を円滑に調節できる。また、キーケース本体１１の握り心地もよくなった。従って、本発明により施錠確認支援装置の操作性が高まった。
【００２３】
施錠後に、利用者はキーをキーケースに戻す。そして、キーが収納された後に、右手で防犯ブザー２２を持ち、ヒンジ付キャップ１２を閉じる方向に防犯ブザーを引っ張る。すると、ヒンジ付キャップ１２は、ストラップ１９により押圧され、従来よりも非常に簡単に閉じられるようになった。このようにして、本発明に係る施錠確認支援装置は、そのヒンジ付キャップ１２の開閉にストラップ１９が邪魔になるどころか、開閉動作を更に円滑に且つ容易に行えるようになった。
【００２４】
上述の如く、防犯ブザー２２は、キー２１がヒンジ付キャップを有するキーケースから脱落するのを防止する抜け止め体として機能するとともに、施錠時にストラップ１９を垂直に伸ばす効果を発揮するものである。防犯ブザー２２は外出時に必ず携帯するキー２１と物理的に結び付けられているので、利用者は防犯ブザー２を絶対に携帯し忘れることがなくなった。従って、本発明により防犯ブザー付の施錠確認支援装置が実現したので、施錠確認支援装置の防犯装置としての価値が高まった。
【図面の簡単な説明】
【００２５】
【図１】本発明の実施例１の施錠確認支援装置の正面図（Ａ）（Ｂ）（Ｃ）と右側面図（Ｄ）である。
【図２】従来の施錠確認支援装置の正面図（Ａ）（Ｂ）（Ｃ）と背面図（Ｄ）である。
【符号の説明】
【００２６】
１１  キーケース本体
１２  ヒンジ付キャップ
１３  液晶表示パネル
１４  操作ボタン
１５  電子ブザーの放音口
１６  フック
１７  穴あき突起
１８  ストラップ用の切欠き
１９  ストラップ
２０  ストラップ用の小穴
２１  キー
２１ａ  キーヘッド
２２  防犯ブザー
【図１】
2006207256.tif 000003
【図２】
2006207256.tif 000004